(57)【要約】【課題】  ミラーなどに必要な洗浄を容易に行えるようにする、ガラス容器検査用の機械を提供する。【解決手段】  直線状の経路に沿って搬送されている容器を検査するための機械である。機械には、直線状の経路の前方に左側キャビネットと右側キャビネットが離間して配置され、その間の空間は、作業員が直線状の経路に接近して立てる空間になっている。機械は、左側と右側の検査ステーションを有しており、それぞれ、直線状の経路の前方に配置された左側アッセンブリと右側アッセンブリを含んでいる。これらアッセンブリは垂直軸回りに回転できるように取り付けられているので、直線状の経路に接近した閉鎖位置から、直線状の経路から離れた後退位置まで回転させることができるようになっている。後退位置では、作業員は機械に入って検査ステーションを点検修理することができる。【選択図】  図２
2005024541.tif 000002
【特許請求の範囲】
【請求項１】
右側の検査ステーション及び左側の検査ステーションを通る直線状の経路に沿って搬送中の容器を検査するための機械において、
前記直線状経路の前方で且つ左端にある第１キャビネット手段と、
前記直線状経路の前方で且つ右端にある第２キャビネット手段であって、前記直線状経路の前方で前記第１キャビネット手段と前記第２キャビネット手段の間に開放領域を形成するようになっている、第２キャビネット手段と、
第１扉及び第２扉と、
前記第１扉を前記第１キャビネット手段の側に取り付け、前記第１扉を、前記開放領域への入口の半分を閉じる閉鎖位置から、前記第１キャビネット手段の側に向かって開放位置まで押し動かせるようにするための第１取り付け手段と、
前記第２扉を前記第２キャビネット手段の側に取り付け、前記第２扉を、前記開放領域への入口のもう半分を閉じる閉鎖位置から、前記第２キャビネット手段の側に向かって開放位置まで押し動かせるようにするための第２取り付け手段と、
前記直線状経路の前方に、前記直線状経路に近い作動位置と前記開放領域から離れた後退位置の間で垂直軸を中心に回転移動させることができるように取り付けられている第１アッセンブリを含んでいる右側検査ステーションと、
前記直線状経路の前方に、前記直線状経路に近い作動位置と前記開放領域から離れた後退位置の間で垂直軸を中心に回転移動させることができるように取り付けられている第２アッセンブリを含んでいる左側検査ステーションと、を備えている機械。
【請求項２】
前記第１アッセンブリはミラーアッセンブリである、請求項１に記載の容器を検査するための機械。
【請求項３】
前記第２アッセンブリは光源アッセンブリである、請求項２に記載の容器を検査するための機械。
【発明の詳細な説明】
【技術分野】
【０００１】
本発明は、概括的にはボトルの欠陥を検査する機械に関し、より具体的には、直線状コンベヤシステムを介して１つ又は複数の検査ステーションを通ってボトルが搬送されるそのような機械に関する。
【背景技術】
【０００２】
ガラスボトルなどを検査するための機械は、カメラ技術を使って益々多くの検査を実施している。このような用途では、ミラーによって像がカメラに向け直され、大きな光源によって正しい照明が保証されている。ガラスボトルを製作する工場内の環境は清浄ではなく、光源、ミラー、及びカメラレンズを周期的に洗浄する必要があるので、当該機械の設計ではこの機器へのアクセスの優先順位が高い。
【特許文献１】米国特許第６，３７１，５８０号
【発明の開示】
【発明が解決しようとする課題】
【０００３】
本発明の目的は、ミラーなどに必要な洗浄を容易に行えるようにする、ガラス容器検査用の機械を提供することである。
【課題を解決するための手段】
【０００４】
上記目的を達成するために、本発明は、右側の検査ステーション及び左側の検査ステーションを通る直線状の経路に沿って搬送中の容器を検査するための機械において、前記直線状経路の前方で且つ左端にある第１キャビネット手段と、前記直線状経路の前方で且つ右端にある第２キャビネット手段であって、前記直線状経路の前方で前記第１キャビネット手段と前記第２キャビネット手段の間に開放領域を形成するようになっている、第２キャビネット手段と、第１扉及び第２扉と、前記第１扉を前記第１キャビネット手段の側に取り付け、前記第１扉を、前記開放領域への入口の半分を閉じる閉鎖位置から、前記第１キャビネット手段の側に向かって開放位置まで押し動かせるようにするための第１取り付け手段と、前記第２扉を前記第２キャビネット手段の側に取り付け、前記第２扉を、前記開放領域への入口のもう半分を閉じる閉鎖位置から、前記第２キャビネット手段の側に向かって開放位置まで押し動かせるようにするための第２取り付け手段と、前記直線状経路の前方に、前記直線状経路に近い作動位置と前記開放領域から離れた後退位置の間で垂直軸を中心に回転移動させることができるように取り付けられている第１アッセンブリを含んでいる右側検査ステーションと、前記直線状経路の前方に、前記直線状経路に近い作動位置と前記開放領域から離れた後退位置の間で垂直軸を中心に回転移動させることができるように取り付けられている第２アッセンブリを含んでいる左側検査ステーションと、を備えていることを特徴とする。第１アッセンブリをミラーアッセンブリとし、第２アッセンブリを光源アッセンブリとすることができる。
【０００５】
本発明のこの他の目的及び利点は、本明細書の以下の部分、並びに、特許法の命令に従って、本発明の原理を組み入れた現下の好適な実施形態を示している添付図面から明らかになるであろう。
【発明を実施するための最良の形態】
【０００６】
図１は、機械を通してボトル１４を搬送するコンベヤ１２を有するガラスボトル検査機械１０を示している。ボトルは、機械内を進む際に、幾つかの検査ステーションを通過することになる。プラスチック製の前面覆い１６は、上部を横切って回転可能に取り付けられているので、持ち上げて機械にアクセスすることができる。この前面覆い１６は、２枚の固定側部パネル１８と協働して機械を閉じる。
【０００７】
覆いの下方には、３枚の前面パネル２０、２１、２２及びコンソール２４があり、作業員がコンソール２４を使って機械を操作する。使用時以外、コンソールは、キャビネットの前壁に向けて押し込まれ、垂直位置まで回転する前壁カバー２８のウインドウ２６で覆われることになる（米国特許第６，３７１，５８０号参照）。この構造体は、右側の垂直支軸（図示せず）を介してフレームに固定されているので、外向きに回転させて、内部に格納されている電子機器へ前方からアクセスできるようになっている。一番左のパネル２０は、螺子３０（図２）を弛めてフレームから取り外し、内部に格納されている電子機器へ前方からアクセスできるようになっている。
【０００８】
図２は、１対の中央パネル２１、２２は扉であり、開放室２３の中へと内向きに開き、コンベヤ経路２５に接近して作業するために作業員が開放室の中に入ることができることを示している。図示のように、各扉は細長いキー部材４２（図３）に固定された上下のヒンジ４０を有し、このキー部材４２は機械フレームワーク４６の一部である細長い水平方向キー通路４４に滑り込む。
【０００９】
図２を見ると分かるように、キー通路は機械の前方まで伸びているので、各扉は、キー４２を引っぱってキー通路４４から外すと機械から完全に取り外すことができる。扉を取り外すと、右側キャビネットの側部開口４５と左側キャビネットの側部開口４６が露出するので、側方からキャビネットにアクセスできるようになる。
【００１０】
最後に、扉を開けると、コンベヤ経路２５下方の格納領域を覆っているパネル５０（図２）も露出する。このパネルは、前面左パネルのように働き、このパネルの裏に格納されている電子機器へアクセスできるようにする。
【００１１】
図５及び図６に示す第２の実施形態（分かり易くするため前カバーを取り外している）では、ボトルは右側と左側の検査ステーションを通過する。右側のステーションは、３枚のミラー５６を支持する右側ミラーアッセンブリ５４と、機械フレーム４６に固定的に取付けられたＬＥＤの大型アレイの形態をした光源アッセンブリ５８と、これも機械フレームに取り付けられたカメラシステム（図示せず）によって形成されている。左側のステーションは、３枚のミラー５６を支持し且つ機械フレームに固定的に取り付けられているミラーアッセンブリ５４と、ＬＥＤの大型アレイの形態をした光源アッセンブリ５８と、これも機械フレームに取り付けられたカメラシステム（図示せず）によって形成されている。
【００１２】
図６を見ると分かるように、右側のミラーアッセンブリ５４は、水平アーム６０に取り付けられており、水平アーム６０は、そのコンベヤ経路に近い方の端部が、機械の右端に位置する回転軸６２に取り付けられた垂直柱６１に固定されている。右側のミラーアッセンブリは、従って、図６に示す後退した点検位置と、図５に示す作動位置の間で回転移動する。左端の光源アッセンブリ５８は、水平アーム７０に取り付けられており、この水平アーム７０は、内側端部が、機械の左端に位置する回転軸７２に固定されている。左端の光源アッセンブリは、従って、図６に示す後退した点検位置と、図５に示す作動位置の間で回転移動し、作業位置では、修理員がコンベヤ経路並びに第１及び第２ステーションの装置を点検修理できるよう開放領域は遮るものがない状態になっている。
【００１３】
機械が点検中で、左側光源アッセンブリと右側ミラーアッセンブリが点検位置にあり、前面扉２１、２２が開いているとき、作業員は、チャンバ２３内に入って、コンベヤに沿って搬送中のボトルに関る問題に適宜取り組み、又はミラー及び光源アッセンブリの全てを点検修理することができる。
【図面の簡単な説明】
【００１４】
【図１】本発明の教示に基づいて作られた、ボトルを検査するための検査機の概略斜視図である。
【図２】上カバーを持ち上げて、中央扉を押し開いた状態の機械の一部を示す斜視図である。
【図３】図２に示す扉ヒンジの斜視図である。
【図４】全ての扉とパネルを取り外した状態の、図２と同様の図である。
【図５】上カバーを取り外した状態の、別の実施形態の機械の作動時の上面図である。
【図６】この別の実施形態の機械の点検時の上面図である。
【符号の説明】
【００１５】
１０              検査ステーション
１２              コンベヤ
１４              ボトル
１６              前方覆い
１８              側面パネル
２０、２１、２２  前面パネル
２３              開放室
２４              コンソール
２５              搬送経路
４０              ヒンジ
４５、４６        側面開口部
５０              パネル
５４              ミラーアッセンブリ
５６              ミラー
５８              光源アッセンブリ
６０、７０        水平アーム
６２，７２        回転軸
【図１】
2005024541.tif 000003
【図２】
2005024541.tif 000004
【図３】
2005024541.tif 000005
【図４】
2005024541.tif 000006
【図５】
2005024541.tif 000007
【図６】
2005024541.tif 000008